(57)【要約】【課題】多数のユーザに情報を一斉配信する際の、ユーザビリティの向上、ならびにネットワークトラフィックの削減をはかる。【解決手段】情報配信装置３は、配信情報をマルチキャストおよびユニキャストにて通信端末装置に向けて配信する情報配信部３１と、情報配信部３１に対して通信端末装置１からユニキャスト配信の要求があったことを検知する配信要求検知部３２と、配信要求検知部３２にて検知されるユニキャスト配信要求の度合いに応じてマルチキャスト配信の配信頻度を変更するマルチキャスト配信頻度管理部３３と、を備えて構成される。【選択図】図１
2008244988.tif 000002
【特許請求の範囲】
【請求項１】
配信情報をマルチキャストおよびユニキャストにて通信端末装置に向けて配信可能な情報配信部と、
前記情報配信部に対して前記通信端末装置から前記ユニキャストでの情報配信の要求があったことを検知する配信要求検知部と、
前記配信要求検知部にて検知される前記ユニキャスト配信の要求度合いに応じて前記マルチキャスト配信の配信頻度を変更するマルチキャスト配信制御部と、
を備えたことを特徴とする情報配信装置。
【請求項２】
前記情報配信部は、
前記通信端末装置に対し、前記配信情報をマルチキャストで定期的に配信し、
前記マルチキャスト配信制御部は、
前記ユニキャスト配信の要求度合いに応じて、少なくとも次回のマルチキャスト配信時の配信頻度を高める
ことを特徴とする請求項１に記載の情報配信装置。
【請求項３】
前記情報配信部は、
複数のセルに対して前記配信情報をマルチキャスト配信し、
前記配信要求検知部は、
前記ユニキャスト配信の要求を前記複数のセル毎に検知し、
前記マルチキャスト配信制御部は、
前記セル毎に検知されるユニキャスト配信の要求度合いに応じて前記マルチキャスト配信の配信頻度を変更する
ことを特徴とする請求項１または２に記載の情報配信装置。
【請求項４】
前記配信要求検知部は、
前記ユニキャスト配信の要求を時間帯毎に検知し、
前記マルチキャスト配信制御部は、
時間帯での前記ユニキャスト配信の要求度合いに応じて当該時間帯のマルチキャスト配信の配信頻度を変更する
ことを特徴とする請求項１から３のいずれか１項に記載の情報配信装置。
【請求項５】
前記情報配信部は、
複数種の配信情報をマルチキャスト配信し、
前記配信要求検知部は、
前記配信情報の種別毎にユニキャスト配信の要求を検知し、
前記マルチキャスト配信制御部は、
前記種別毎の前記ユニキャスト配信の要求度合いに応じて前記種別毎に前記配信情報のマルチキャスト配信の配信頻度を変更する
ことを特徴とする請求項１から４のいずれか１項に記載の情報配信装置。
【請求項６】
前記通信端末装置から返信される前記マルチキャスト配信の受信結果情報を受信する受信結果情報受信部を備え、
前記マルチキャスト配信制御部は、
前記受信結果情報受信部で受信される前記マルチキャスト配信の受信結果情報を前記ユニキャスト配信の要求度合いに反映させ、前記マルチキャスト配信による配信頻度を変更する
ことを特徴とする請求項１から５のいずれか１項に記載の情報配信装置。
【請求項７】
複数の通信端末装置と、
前記通信端末装置とは基地局を含む通信網経由で接続され、
前記通信端末装置に向けて配信情報をマルチキャストおよびユニキャストにて配信するとともに、前記通信端末装置から前記ユニキャスト配信の要求があったことを検知し、当該検知される前記ユニキャスト配信の要求度合いに応じて前記マルチキャスト配信の配信頻度を変更する情報配信装置と、
を備えたことを特徴とする情報配信システム。
【請求項８】
通信端末装置とは基地局を含む通信網経由で接続され、前記通信端末装置に向けて配信情報をマルチキャストおよびユニキャストにて配信する情報配信装置におけるマルチキャスト配信の制御方法であって、
前記通信端末装置に対し、前記配信情報をマルチキャストにて配信するステップと、
前記通信端末装置から前記ユニキャスト配信の要求があったことを検知するステップと、
検知される前記ユニキャスト配信の要求度合いに応じて前記マルチキャスト配信の配信頻度を変更するステップと、
を有することを特徴とするマルチキャスト配信の制御方法。
【発明の詳細な説明】
【技術分野】
【０００１】
本発明は、情報配信装置およびシステム、ならびにマルチキャスト配信の制御方法に関するものである。
【背景技術】
【０００２】
多数のユーザに情報を一斉配信するサービスの一つとして、ＢＣＭＣＳ（Broadcast／Multicast Service）が知られている。このサービスによれば、基地局とユーザとの間に１対１の無線回線を用意する必要が無いため、ユーザ数は増えても配信するデータ量は変わらず、したがって、大量、かつ、大容量の配信を一定のスループットで効率的に行なうことができる。また、リアルタイムに情報の配信が可能であるため、ニュースや天気予報等の配信に便利であり、更に、無線通信網のリソースを気にすることなくコンテンツの配信が可能であるため、映像や音楽等の大容量コンテンツの配信も可能である。
【０００３】
一方、上記した基地局を含む網側装置が持つ一斉配信機能に対応して、マルチキャストあるいはユニキャストによって配信されるコンテンツを受信可能な通信端末装置について、従来から多数の出願がなされている。例えば、マルチキャスト受信、あるいはユニキャスト受信のいずれを使用するかを、端末毎の電波環境状況を反映してダイナミックに切替え、受信失敗の機会を低減することができる通信端末装置が知られている（例えば、特許文献１参照）。
【特許文献１】特開２００６−３３３１８２号公報
【発明の開示】
【発明が解決しようとする課題】
【０００４】
しかしながら、上記した特許文献１に開示された技術によれば、マルタキャストにて配信された情報を適正に受信できなかった場合、ユーザは、ユニキャスト配信にて情報を受信する必要があり、このためユーザビリティが悪化し、また、無駄な通信が発生してネットワークトラフィックの増大にもつながる。
【０００５】
本発明は上記した課題を解決するためになされたものであり、多数のユーザに情報を一斉配信する際の、ユーザビリティの向上、ならびにネットワークトラフィックの削減をはかった、情報配信装置およびシステム、ならびにマルチキャスト配信の制御方法を提供することを目的とする。
【課題を解決するための手段】
【０００６】
上記した課題を解決するために本発明の情報配信装置は、配信情報をマルチキャストおよびユニキャストにて通信端末装置に向けて配信可能な情報配信部と、前記情報配信部に対して前記通信端末装置から前記ユニキャストでの情報配信の要求があったことを検知する配信要求検知部と、前記配信要求検知部にて検知される前記ユニキャスト配信の要求度合いに応じて前記マルチキャスト配信の配信頻度を変更するマルチキャスト配信制御部と、を備えたものである。
【０００７】
また、本発明の情報配信装置において、前記情報配信部は、前記通信端末装置に対し、前記配信情報をマルチキャストで定期的に配信し、前記マルチキャスト配信制御部は、前記ユニキャスト配信の要求度合いに応じて、少なくとも次回のマルチキャスト配信時の配信頻度を高めるように構成してもよい。
【０００８】
また、本発明の情報配信装置において、前記情報配信部は、複数のセルに対して前記配信情報をマルチキャスト配信し、前記配信要求検知部は、前記ユニキャスト配信の要求を前記複数のセル毎に検知し、前記マルチキャスト配信制御部は、前記セル毎に検知されるユニキャスト配信の要求度合いに応じて前記マルチキャスト配信の配信頻度を変更するように構成してもよい。
【０００９】
また、本発明の情報配信装置において、前記配信要求検知部は、前記ユニキャスト配信の要求を時間帯毎に検知し、前記マルチキャスト配信制御部は、時間帯での前記ユニキャスト配信の要求度合いに応じて当該時間帯のマルチキャスト配信の配信頻度を変更するように構成してもよい。
【００１０】
また、本発明の情報配信装置において、前記情報配信部は、複数種の配信情報をマルチキャスト配信し、前記配信要求検知部は、前記配信情報の種別毎にユニキャスト配信の要求を検知し、前記マルチキャスト配信制御部は、前記種別毎の前記ユニキャスト配信の要求度合いに応じて前記種別毎に前記配信情報のマルチキャスト配信の配信頻度を変更するように構成してもよい。
【００１１】
また、本発明の情報配信装置において、前記通信端末装置から返信される前記マルチキャスト配信の受信結果情報を受信する受信結果情報受信部を備え、前記マルチキャスト配信制御部は、前記受信結果情報受信部で受信される前記マルチキャスト配信の受信結果情報を前記ユニキャスト配信の要求度合いに反映させ、前記マルチキャスト配信による配信頻度を変更するように構成してもよい。
【００１２】
上記した課題を解決するために本発明の情報配信システムは、複数の通信端末装置と、前記通信端末装置とは基地局を含む通信網経由で接続され、前記通信端末装置に向けて配信情報をマルチキャストおよびユニキャストにて配信するとともに、前記通信端末装置から前記ユニキャスト配信の要求があったことを検知し、当該検知される前記ユニキャスト配信の要求度合いに応じて前記マルチキャスト配信の配信頻度を変更する情報配信装置と、を備えたものである。
【００１３】
上記した課題を解決するために本発明のマルチキャスト配信の制御方法は、通信端末装置とは基地局を含む通信網経由で接続され、前記通信端末装置に向けて配信情報をマルチキャストおよびユニキャストにて配信する情報配信装置におけるマルチキャスト配信の制御方法であって、前記通信端末装置に対し、前記配信情報をマルチキャストにて配信するステップと、前記通信端末装置から前記ユニキャスト配信の要求があったことを検知するステップと、検知される前記ユニキャスト配信の要求度合いに応じて前記マルチキャスト配信の配信頻度を変更するステップと、を有するものである。
【発明の効果】
【００１４】
本発明によれば、多数のユーザに情報を一斉配信する際の、ユーザビリティの向上、ならびにネットワークトラフィックの削減をはかった、情報配信装置およびシステム、ならびにマルチキャスト配信の制御方法を提供することができる。
【発明を実施するための最良の形態】
【００１５】
図１は、本発明の実施の形態に係る情報配信システムのシステム構成、ならびに情報配信装置の内部構成を示すブロック図である。
図１に示されるように、本発明の実施の形態に係る情報配信装置３は、具体的には、通信端末装置１とともに基地局を含む通信網２に接続されるコンテンツサーバなどのサーバに実装され、通信端末装置１に向けてコンテンツなどの配信情報をマルチキャストおよびユニキャストにて配信するとともに、通信端末装置１からユニキャスト配信の要求があったことを検知し、当該検知されるユニキャスト配信の要求度合いに応じてマルチキャスト配信の配信頻度を変更する機能を有する。
このため、情報配信装置３は、情報配信部３１と、配信要求検知部３２と、マルチキャスト配信頻度管理部（マルチキャスト配信制御部）３３と、受信結果情報受信部３４と、配信情報ＤＢ３５とにより構成される。
【００１６】
情報配信部３１は、コンテンツなどの配信情報をマルチキャストおよびユニキャストにて通信端末装置１に向けて配信する機能を有する。また、配信要求検知部３２は、情報配信部３１に対して通信端末装置１からユニキャスト配信の要求があったことを検知する機能を有する。
マルチキャスト配信頻度管理部３３は、配信要求検知部３２にて検知されるユニキャスト配信の要求度合いに応じてマルチキャスト配信の配信頻度を変更する機能を有する。
【００１７】
情報配信部３１は、通信端末装置１に対し、配信情報をマルチキャストで定期的に配信し、このとき、マルチキャスト配信頻度管理部３３は、ユニキャストの配信要求度合いに応じて、少なくとも次回のマルチキャスト配信時の配信頻度を高めるように制御する。
また、情報配信部３１は、複数のセル（基地局）に対して配信情報をマルチキャスト配信し、配信要求検知部３２は、ユニキャスト配信の要求を複数のセル毎に検知し、これを受けたマルチキャスト配信頻度管理部３３は、セル毎に検知されるユニキャスト配信の要求度合いに応じてマルチキャスト配信頻度を変更する機能も有する。
【００１８】
また、配信要求検知部３２は、ユニキャスト配信の要求度合いを時間帯毎に検知し、これを受けたマルチキャスト配信頻度管理部３３は、時間帯でのユニキャスト配信の要求度合いに応じて当該時間帯のマルチキャスト配信の配信頻度を変更する機能を有する。
更に、情報配信部３１は、複数種の配信情報をマルチキャスト配信し、配信要求検知部３２は、配信情報の種別毎にユニキャスト配信の要求を検知し、これを受けたマルチキャスト配信頻度管理部３３は、種別毎のユニキャスト配信の要求度合いに応じて当該種別毎に配信情報のマルチキャスト配信頻度を変更する機能も有する。
【００１９】
受信結果情報受信部３４は、通信端末装置１から返信されるマルチキャスト配信の受信結果情報を受信し、マルチキャスト配信頻度管理部３３は、受信結果情報受信部３４で受信されるマルチキャスト配信の受信結果情報をユニキャスト配信の要求度合いに反映させ、マルチキャスト配信による配信頻度を変更する。
なお、配信情報ＤＢ３５には、通信端末装置１に向け、予め規定されたスケジュールにしたがい配信すべき、ニュース、天気予報、あるいは映画等の各種コンテンツが格納されている。
【００２０】
図２は、図１に示す通信端末装置１の内部構成の一例を示すブロック図である。図２に示されるように、通信端末装置１は、通信部１１と、制御部１２と、記憶部１３と、音声処理部１４と、表示部１５と、操作部１６とにより構成される。
【００２１】
通信部１１は、不図示の基地局のいずれかによって割り当てられるチャネルを用いて不図示の基地局との間で通信網２を介して無線信号の送受信を行う。制御部１２は、記憶部１３に格納されたアプリケーションプログラムにしたがい通信端末装置としての各種機能を実行する。通信端末装置１として、例えば携帯電話を想定した場合、電話の発着信、メール送受信、Ｗｅｂ（World Wide Web）閲覧、カメラ、上記したＢＣＭＣＳ受信等である。なお、記憶部１３には、アプリケーションプログラムが格納され、記憶部１３は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２２】
音声処理部１４は、スピーカ（ＳＰ）から出力される音声信号やマイクロフォン（ＭＩＣ：以下、マイクという）を介して入力される音声信号の処理を行う。
すなわち、音声処理部１４は、マイクから入力される音声を増幅し、アナログ／デジタル変換を行い、更に符号化等の信号処理を施し、デジタルの音声データに変換して制御部１２に出力する。
また、音声処理部１４は、制御部１２から供給される音声データに復号化、デジタル／アナログ変換、増幅等の信号処理を施し、アナログの音声信号に変換してスピーカに出力する。
【００２３】
表示部１５は、例えば、液晶表示パネルや有機ＥＬ（Electro-Luminescence）パネルなどの表示デバイスを用いて構成されており、制御部１２から供給される映像信号に応じた画像を表示する。例えば、発信時における発信先の電話番号、着信時における着信相手の電話番号、受信メールや送信メールの内容、日付、時刻、バッテリ残量、発信成否、待ち受け画面などの各種の情報や画像を表示する。
【００２４】
操作部１６には複数のキーが割当てられ、これらのキーがユーザによって操作（押圧および解放）された場合に、その操作内容に対応する信号を発生し、これをユーザの指示として制御部１２に入力する。
【００２５】
図３は、本発明の実施の形態に係る情報配信装置３の動作を説明するために示したフローチャートである。
以下、図３のフローチャートを参照しながら本発明の実施の形態に係る情報配信装置の動作について詳細に説明する。
【００２６】
本発明の実施の形態に係る情報配信装置３は、特徴的には、マルチキャストによる配信で配信情報が取得出来なかったり、最新の情報への更新を要求したいなどの場合に、配信情報のユニキャスト配信が通信端末装置１から要求されると、その要求時間と、要求が行われたセルと要求が行われた配信情報の種別とを記憶しておき、要求数の多い時間帯やセルや種別に対してはマルチキャストによって配信する回数を要求数（要求度合い）に応じて増やし、逆に、要求数の少ない時間帯やセルや種別に対してはマルチキャストによって配信する回数を要求数に応じて削減することにある。以下にその詳細説明を行なう。
【００２７】
情報配信装置３は、情報配信部３１が配信情報ＤＢ３５に格納された配信情報を、ユーザ要求などに基づきあらかじめスケジュールされたタイミングで通信端末装置１にマルチキャストにて定期的に配信している。情報配信装置３は、マルチキャスト配信により配信された情報に対するユーザ（通信端末装置１）からのユニキャスト配信の要求を常時監視しており、このユニキャスト配信の要求を受信すると、配信要求検知部３２がこれを検知してマルチキャスト配信頻度管理部３３へ供給する。このとき、マルチキャスト配信頻度管理部３３は、ユニキャスト配信の要求数が前回のマルチキャスト配信に対するユニキャスト配信の要求を集計した数より増えているか否かを判定する（ステップＳ３０１）。
ここで、前回に比べて今回のマルチキャスト配信に対するユニキャスト配信の要求数が増えていると判定された場合（ステップＳ３０１“Ｙｅｓ”）、マルチキャスト配信頻度管理部３３は、更に、マルチキャスト配信の頻度を増やした場合、ネットワークトラフィックや通信コストが抑えることができるか否かを判定し（ステップＳ３０２）、できると判定された場合に（ステップＳ３０２“Ｙｅｓ”）、所定の配信情報に対するマルチキャスト配信の配信回数を増大させるように設定し、情報配信部３１による以降のマルチキャスト配信頻度を制御する（ステップＳ３０３）。この際に、配信回数を増大させるだけでなく、配信間隔を短く設定するようにしてもよい。即ち、所定の配信情報をマルチキャストにて複数回配信する場合には、この配信間隔を短くするようにすればよい。
【００２８】
一方、マルチキャスト配信の頻度を増やしてもネットワークトラフィックや通信コストを抑えることができないと判定された場合（ステップＳ３０２“Ｎｏ”）、あるいは、集計したユニキャスト配信の要求数に変化が無い又は要求数が減少したと判定された場合（ステップＳ３０１“Ｎｏ”）、マルチキャスト配信頻度管理部３３は、更に、ユニキャスト配信の要求数が“０”であるか否かを判定し（ステップＳ３０４）、“０”の場合（ステップＳ３０４“Ｙｅｓ”）、所定の配信情報に対するマルチキャスト配信の配信回数が減少されるように設定して情報配信部３１によりマルチキャスト配信頻度を制御し（ステップＳ３０５）、０以外の場合（ステップＳ３０４“Ｎｏ”）は、上記した一例の処理を終了する。なお、ここでも配信回数を減少させるだけでなく、配信間隔を長く設定するようにしてもよい。また、ユニキャスト配信の要求数が減少したと判定された場所にもステップＳ３０５の処理を行うようにしてもよい。
【００２９】
なお、図３に示すフローチャートでは図示省略されているが、情報配信部３１は、複数のセル（地域や基地局がカバーする区域など）に対して配信情報をマルチキャスト配信し、このとき、配信要求検知部３２は、ユニキャスト配信の要求を複数のセル毎に検知し、マルチキャスト配信頻度管理部３３に引き渡す。このことにより、マルチキャスト配信頻度管理部３３は、セル毎に検知されるユニキャスト配信の要求数に応じてマルチキャスト配信の配信頻度を変更している。
また、配信要求検知部３２は、ユニキャスト配信の要求を時間帯毎に検知してもよく、この場合、マルチキャスト配信頻度管理部３３は、時間帯でのユニキャスト配信の要求回数に応じて当該時間帯のマルチキャスト配信の配信頻度を変更する。
【００３０】
なお、例えば、マルチキャスト配信予定時刻になっても配信情報のデータを受信できず、或いは、マルチキャスト配信による配信情報の受信データに不備がある等により受信が適正に行われなかった場合、通信端末装置１は、情報配信装置３に対してその旨を示す受信結果情報を送信する。情報配信装置３は、その受信結果情報を、受信結果情報受信部３４で受信し、マルチキャスト配信頻度管理部３３は、受信結果情報受信部３４で受信されたマルチキャスト配信の受信結果情報をユニキャスト配信の要求度合いに反映させ、マルチキャスト配信による配信頻度を変更してもよい。例えば、マルチキャスト配信頻度管理部３３は、配信要求検知部３２で検知されたユニキャスト配信の要求数に受信結果情報受信部３４にて受信された受信結果情報を加味して、この加味された値に基づき図３に示すフローチャートの処理を行うようにしてもよい。
【００３１】
以上説明のように、上記した本発明の実施の形態に係る情報配信装置によれば、マルチキャスト配信された情報に対するユニキャスト配信の要求度合い（要求数）に応じてマルチキャスト配信の回数や間隔を変更制御することにより、通信端末装置１と情報通信端末とによる事前のやり取り（情報配信装置３は、マルチキャスト配信予定時刻を各セルに公告し、受信希望ユーザを計測して配信条件を満たすセルにのみマルチキャスト配信を行う／通信端末装置１は、マルチキャスト配信により蓄積されたデータを特定のタイミングで情報配信装置へ通知し、情報配信装置３は、通知されたデータに欠落が発生していた場合にマルチキャストの再配信を行う）が不要となり、このため、ネットワークトラフィックが増加することなく、且つ、通信端末装置のパフォーマンス低下を伴うことなくマルチキャスト配信が可能となり、ユーザビリティを高めることができる。また、通信端末装置１は、事前に情報配信装置３へ応答を返す必要がないため、そのために通信端末装置１に実装されるリソースの削減がはかれ、開発コストを抑えることが可能である。なお、マルチキャストによって配信する回数を増減する基準は、各セルに登録されている通信端末装置１の数と、ユニキャストによって要求した通信端末装置１の数との割合を閾値と比較し、ネットワークトラフィックや通信コストを考慮して最適化するのが好ましい。
【００３２】
図４は、本発明の実施の形態に係る情報配信システムの通信シーケンス図である。図４のシーケンス図に示されるように、情報配信装置３は、配信情報を、ユーザ要求などに基づきあらかじめスケジュールされたタイミングで定期的にマルチキャスト配信している（ステップＳ４０１）。このとき、マルチキャスト配信される頻度（回数あるいは間隔）をＡとする。
次に、このマルチキャスト配信によって配信された情報に対して通信端末装置１からユニキャスト配信が要求されると（ステップＳ４０２）、情報配信装置３は、その要求時間と、要求が行われたセルとその配信情報の種別とを記憶しておき、要求数の多い時間帯やセルや種別に対してはマルチキャストによって配信する回数を要求数に応じて増やしたり配信間隔を短くし、逆に、要求数の少ない時間帯やセルや種別に対してはマルチキャストによって配信する回数を要求数に応じて削減したり配信間隔を長くしたりして次回以降のマルチキャスト配信の配信頻度を変更してマルチキャスト配信を行う（ステップＳ４０４）。このときの頻度をＢとする。ここで、頻度Ｂは、ユニキャスト配信の要求数によりＡ＜Ｂ、あるいはＡ＞Ｂとなる。
【００３３】
なお、情報配信装置３は、マルチキャスト配信したデータに対し、通信端末装置１から受信結果情報を受信した場合は（ステップＳ４０３）、当該受信結果情報をユニキャスト配信の要求数（要求度合い）に反映させ、マルチキャスト配信による配信頻度が変更される。
以上説明のように本発明の実施の形態に係る情報配信システムによれば、多数のユーザに情報を一斉配信する際の、ユーザビリティの向上、ならびにネットワークトラフィックの削減をはかった、情報配信システムを提供することが出来る。
【００３４】
また、本発明の実施の形態に係る情報配信装置におけるマルチキャスト配信の制御方法は、例えば、図１において、通信端末装置１とは基地局を含む通信網２経由で接続され、前記通信端末装置１に向けて配信情報をマルチキャストおよびユニキャストにて配信する情報配信装置３におけるマルチキャスト配信の制御方法であって、例えば、図４のシーケンス図において、前記通信端末装置１に対し、前記配信情報をマルチキャストにて配信するステップ（Ｓ４０１）と、前記通信端末装置１から前記ユニキャスト配信の要求があったことを検知するステップ（Ｓ４０２）と、検知される前記ユニキャスト配信の要求度合いに応じて前記マルチキャスト配信の配信頻度を変更し、以降のマルチキャスト配信を制御するするステップ（Ｓ４０４）と、を有するのである。
【００３５】
上記した本発明の実施の形態に係る情報配信装置におけるマルチキャスト配信の制御方法によれば、ネットワークトラフィックの削減がはかれる。
【００３６】
なお、上記した本発明の実施の形態によれば、通信端末装置１として携帯電話端末に適用する場合のみ例示したが、携帯電話に限らず、ＰＤＡ（Personal Digital Assistants）、やゲーム機等にも同様に適用が可能である。
また、図１に示す本発明の実施の形態に係る情報配信装置３が持つ各構成ブロックの機能は、全てをソフトウェアによって実現しても、あるいはその少なくとも一部をハードウエアで実現してもよい。例えば、情報配信部３１、配信要求検知部３２、マルチキャスト配信頻度管理部３３、受信結果情報受信部３４におけるデータ処理は、１または複数のプログラムによりコンピュータ上で実現してもよく、また、その少なくとも一部をハードウエアで実現してもよい。また、このとき、配信情報ＤＢ３５は、不図示の記憶装置に割り付けられ格納される。
また、上述した実施形態では、ユニキャスト配信の要求度合いに応じて次回以降のマルチキャスト配信の配信頻度を変更する構成としたが、それに限定されることなく、今回のマルチキャスト配信の配信頻度を変更するように構成してもよい。例えば、ユニキャスト配信の要求度合いや受信結果情報の受信数などに応じて、これらユニキャスト配信の要求や受信結果の対象となる今回のマルチキャスト配信に対して、配信回数を増減したり配信間隔を変更するようにする。具体的には、ユニキャスト配信の要求数が比較的に多い場合にはマルチキャスト配信された配信情報をマルチキャストにて再度配信するようにすればよい。
また、上述した実施形態では、情報配信装置として配信情報としてコンテンツを配信するコンテンツサーバを説明したが、配信情報はその他の情報であってもよく、情報配信装置は通信端末装置に対して配信情報をマルチキャスト及びユニキャストによって配信可能に構成されるものであればよい。
【図面の簡単な説明】
【００３７】
【図１】本発明の実施の形態に係る情報配信システムのシステム構成、ならびに情報配信装置の内部構成を示すブロック図である。
【図２】図１に示す通信端末装置の内部構成の一例を示すブロック図である。
【図３】本発明の実施の形態に係る情報配信装置の動作を説明するために示したフローチャートである。
【図４】本発明の実施の形態に係る情報配信システムのシーケンス図である。
【符号の説明】
【００３８】
１…通信端末装置、２…通信網、３…情報配信装置、３１…情報配信部、３２…配信要求検知部、３３…マルチキャスト配信頻度管理部、３４…受信結果情報受信部、３５…配信情報ＤＢ
【図１】
2008244988.tif 000003
【図２】
2008244988.tif 000004
【図３】
2008244988.tif 000005
【図４】
2008244988.tif 000006